(57)【特許請求の範囲】
【請求項１】
プライマリセル及びセカンダリセルを用いてキャリアアグリゲーションを行うことができるように構成されている移動局であって、
前記プライマリセルを含むプライマリタイミング調整グループ、及び、該プライマリセルを含まないセカンダリタイミング調整グループを管理するように構成されている第１管理部と、
自律的に、下りリンク通信のみが行われる下りリンク専用セルと、前記プライマリタイミング調整グループとを関連付けて管理するように構成されている第２管理部とを具備しており、
前記第１管理部において、前記プライマリタイミング調整グループ内の前記プライマリセル及び前記セカンダリセルに対するタイミング参照セル及びパスロス参照セルは、該プライマリセル或いはネットワークによって指定されたセルとして管理されるように構成されており、
前記第１管理部において、前記セカンダリタイミング調整グループ内の前記セカンダリセルに対するタイミング参照セル及びパスロス参照セルは、前記ネットワークによって指定することができないように構成されていることを特徴とする移動局。
【発明の詳細な説明】
【技術分野】
【０００１】
本発明は、移動局に関する。
【背景技術】
【０００２】
ＬＴＥ（Ｌｏｎｇ  Ｔｅｒｍ  Ｅｖｏｌｕｔｉｏｎ）-Ａｄｖａｎｃｅｄ方式に対応する移動通信システムでは、ＰＣＣ（Ｐｒｉｍａｒｙ  Ｃｏｍｐｏｎｅｎｔ  Ｃａｒｒｉｅｒ）におけるサービングセルであるＰｃｅｌｌ（Ｐｒｉｍａｒｙ  Ｃｅｌｌ、プライマリセル）及びＳＣＣ（Ｓｅｃｏｎｄａｒｙ  Ｃｏｍｐｏｎｅｎｔ  Ｃａｒｒｉｅｒ）におけるサービングセルであるＳｃｅｌｌ（Ｓｅｃｏｎｄａｒｙ  Ｃｅｌｌ、セカンダリセル）を用いて、ＣＡ（Ｃａｒｒｉｅｒ  Ａｇｇｒｅｇａｔｉｏｎ、キャリアアグリゲーション）を行うことができる。
【０００３】
また、ＬＴＥ-Ａｄｖａｎｃｅｄ方式に対応する移動通信システムにおいて、「Ｉｎｔｅｒ-ｂａｎｄ  ＣＡ」を行う場合には、セル毎に無線特性（遅延特性や減衰特性）が異なるため、異なる無線特性を持つセルに対しては、それぞれに応じたＴＡ（Ｔｉｍｉｎｇ  Ａｌｉｇｎｍｅｎｔ）制御を行う必要がある。
【０００４】
具体的には、ＬＴＥ-Ａｄｖａｎｃｅｄ方式では、「Ｉｎｔｅｒ-ｂａｎｄ  ＣＡ」を行う際に、図４に示すように、Ｐｃｅｌｌ及びＳｃｅｌｌを、無線特性が同等な群であるＴＡＧ（Ｔｉｍｉｎｇ  Ａｄｖａｎｃｅ  Ｇｒｏｕｐ）にグルーピングしてそれぞれでＴＡ制御を行うように構成されている。
【０００５】
かかるＴＡ制御は、「Ｍｕｌｔｉｐｌｅ  Ｔｉｍｉｎｇ  Ａｄｖａｎｃｅｓ（ＭＴＡ）制御」呼ばれている。なお、かかるグループには、Ｐｃｅｌｌを含むｐＴＡＧ（ｐｒｉｍａｒｙ  ＴＡＧ）及びＳｃｅｌｌのみからなるｓＴＡＧ（ｓｅｃｏｎｄａｒｙ  ＴＡＧ）の２種類が存在する。
【０００６】
ＬＴＥの標準化策定会合において、ＴＡＧ内の「Ｐａｔｈｌｏｓｓ  ｒｅｆｅｒｅｎｃｅ  ｃｅｌｌ」及び「ｔｉｍｉｎｇ  ｒｅｆｅｒｅｎｃｅ  ｃｅｌｌ」について、図５に示す内容が合意されている。
【０００７】
ここで、「ｔｉｍｉｎｇ  ｒｅｆｅｒｅｎｃｅ  ｃｅｌｌ」は、下りリンクにおけるタイミングや移動局ＵＥ内のクロックを調整する際に参照する「ＤＬ  Ｃｅｌｌ」である。ここで、「ＤＬ  Ｃｅｌｌ」は、下り通信を行う下りリンクセルを示す。
【０００８】
また、「Ｐａｔｈｌｏｓｓ  ｒｅｆｅｒｅｎｃｅ  ｃｅｌｌ」は、下りリンクにおけるパスロスを推定する際に参照する「ＤＬ  Ｃｅｌｌ」である。
【０００９】
具体的には、図５及び図６に示すように、ｐＴＡＧ内のＰｃｅｌｌに対する「ｔｉｍｉｎｇ  ｒｅｆｅｒｅｎｃｅ  ｃｅｌｌ」及び「Ｐａｔｈｌｏｓｓ  ｒｅｆｅｒｅｎｃｅ  ｃｅｌｌ」は、Ｐｃｅｌｌとするように規定されている。
【００１０】
また、ｐＴＡＧ内のＳｃｅｌｌに対する「ｔｉｍｉｎｇ  ｒｅｆｅｒｅｎｃｅ  ｃｅｌｌ」は、Ｐｃｅｌｌとするように規定されている。
【００１１】
また、ｐＴＡＧ内のＳｃｅｌｌに対する「Ｐａｔｈｌｏｓｓ  ｒｅｆｅｒｅｎｃｅ  ｃｅｌｌ」は、Ｐｃｅｌｌ、又は、かかるＳｃｅｌｌの「ＳＩＢ２  ｌｉｎｋｅｄ  ｃｅｌｌ」の中から、ネットワークによって指定されたセルとするように規定されている。
【００１２】
ここで、Ｓｃｅｌｌの「ＳＩＢ２  ｌｉｎｋｅｄ  ｃｅｌｌ」は、ＳＩＢ２によって、かかるＳｃｅｌｌに関連付けられている「ＵＬ  Ｃｅｌｌ」である。ここで、「ＵＬ  Ｃｅｌｌ」は、上り通信を行う下りリンクセルを示す。
【００１３】
また、図５及び図７に示すように、ｓＴＡＧ内のＳｃｅｌｌにおける「ｔｉｍｉｎｇ  ｒｅｆｅｒｅｎｃｅ  ｃｅｌｌ」は、かかるｓＴＡＧ内のセルの中から移動局ＵＥによって選択されたセルとするように規定されている。
【００１４】
ここで、ネットワークは、ｓＴＡＧ内のＳｃｅｌｌにおける「ｔｉｍｉｎｇ  ｒｅｆｅｒｅｎｃｅ  ｃｅｌｌ」について指定することができない。
【００１５】
さらに、ｓＴＡＧ内のＳｃｅｌｌにおける「Ｐａｔｈｌｏｓｓ  ｒｅｆｅｒｅｎｃｅ  ｃｅｌｌ」は、かかるＳｃｅｌｌの「ＳＩＢ２  ｌｉｎｋｅｄ  ｃｅｌｌ」の中から移動局ＵＥによって選択されたセルとするように規定されている。
【００１６】
ここで、ネットワークは、ｓＴＡＧ内のＳｃｅｌｌにおける「Ｐａｔｈｌｏｓｓ  ｒｅｆｅｒｅｎｃｅ  ｃｅｌｌ」について指定することができない。
【先行技術文献】
【非特許文献】
【００１７】
【非特許文献１】３ＧＰＰ  ＴＳ３６.３００
【非特許文献２】３ＧＰＰ寄書  Ｒ２-１２２０７６
【発明の概要】
【発明が解決しようとする課題】
【００１８】
ＬＴＥ-Ａｄｖａｎｃｅｄ方式では、下りリンク通信のみが行われ上りリンク通信が行われないように構成されている「ＤＬ  ｏｎｌｙ  Ｃｅｌｌ（下りリンク専用セル）」を設置することができる。
【００１９】
ここで、ＳＩＢ２によって、かかる「ＤＬ  ｏｎｌｙ  Ｃｅｌｌ」が、ｓＴＡＧ内のＳｃｅｌｌに関連付けられている場合、移動局ＵＥによって、かかるＳｃｅｌｌに対する「ｔｉｍｉｎｇ  ｒｅｆｅｒｅｎｃｅ  ｃｅｌｌ」及び「Ｐａｔｈｌｏｓｓ  ｒｅｆｅｒｅｎｃｅ  ｃｅｌｌ」として、「ＤＬ  ｏｎｌｙ  Ｃｅｌｌ」が選択されてしまう可能性がある。
【００２０】
ここで、「ＤＬ  ｏｎｌｙ  Ｃｅｌｌ」の無線特性及び当該Ｓｃｅｌｌの無線特性が同等であれば問題ないが、例えば、「ＤＬ  ｏｎｌｙ  Ｃｅｌｌ」及び当該Ｓｃｅｌｌが異バンドのセルである場合等には、正しいパスロスやタイミングを推定することができないという問題点があった。
【００２１】
そこで、本発明は、上述の課題に鑑みてなされたものであり、ｓＴＡＧ内のＳｃｅｌｌに対する「ｔｉｍｉｎｇ  ｒｅｆｅｒｅｎｃｅ  ｃｅｌｌ」及び「Ｐａｔｈｌｏｓｓ  ｒｅｆｅｒｅｎｃｅ  ｃｅｌｌ」を適切に選択することができる移動局を提供することを目的とする。
【課題を解決するための手段】
【００２２】
本発明の第１の特徴は、プライマリセル及びセカンダリセルを用いてキャリアアグリゲーションを行うことができるように構成されている移動局であって、前記プライマリセルを含むプライマリタイミング調整グループ、及び、該プライマリセルを含まないセカンダリタイミング調整グループを管理するように構成されている第１管理部と、上りリンク通信を行う上りリンクセルと下りリンク通信を行う下りリンクセルとを関連付けて管理するように構成されている第２管理部とを具備しており、前記第１管理部において、前記プライマリタイミング調整グループ内の前記プライマリセル及び前記セカンダリセルに対するタイミング参照セル及びパスロス参照セルは、該プライマリセル或いはネットワークによって指定されたセルとして管理されるように構成されており、前記第１管理部において、前記セカンダリタイミング調整グループ内の前記セカンダリセルに対するタイミング参照セル及びパスロス参照セルは、前記ネットワークによって指定することができないように構成されており、前記第２管理部は、下りリンク通信のみが行われる下りリンク専用セルに関連付けて管理する前記上りリンクセルを、前記プライマリタイミング調整グループ内の前記プライマリセル又は前記セカンダリセルとするように構成されていることを要旨とする。
【発明の効果】
【００２３】
以上説明したように、本発明によれば、ｓＴＡＧ内のＳｃｅｌｌに対する「ｔｉｍｉｎｇ  ｒｅｆｅｒｅｎｃｅ  ｃｅｌｌ」及び「Ｐａｔｈｌｏｓｓ  ｒｅｆｅｒｅｎｃｅ  ｃｅｌｌ」を適切に選択することができる移動局を提供することができる。
【図面の簡単な説明】
【００２４】
【図１】本発明の第１の実施形態に係る移動通信システムの全体構成図である。
【図２】本発明の第１の実施形態に係る移動局の機能ブロック図である。
【図３】本発明の第１の実施形態に係る移動局の動作を説明するためのフローチャートである。
【図４】従来の移動通信システムについて説明するための図である。
【図５】従来の移動通信システムについて説明するための図である。
【図６】従来の移動通信システムについて説明するための図である。
【図７】従来の移動通信システムについて説明するための図である。
【図８】従来の移動通信システムについて説明するための図である。
【発明を実施するための形態】
【００２５】
（本発明の第１の実施形態に係る移動通信システム）
図１乃至図３を参照して、本発明の第１の実施形態に係る移動通信システムについて説明する。
【００２６】
本実施形態に係る移動通信システムは、ＬＴＥ-Ａｄｖａｎｃｅｄ方式をサポートするものであって、Ｐｃｅｌｌ及びＳｃｅｌｌを用いてＣＡを行うことができるように構成されている。
【００２７】
具体的には、本実施形態に係る移動通信システムは、「Ｉｎｔｅｒ-ｂａｎｄ  ＣＡ」を行うことができるように構成されている。
【００２８】
図１に示すように、本実施形態に係る移動通信システムは、移動局ＵＥのＰＣＣ（ｆ１）及びＳｃｅｌｌ＃１（ｆ２）を管理する無線基地局ｅＮＢを具備している。
【００２９】
なお、Ｐｃｅｌｌは、ＰＣＣにおけるサービングセルであり、Ｓｃｅｌｌ＃１は、ＳＣＣ＃１におけるサービングセルである。
【００３０】
図２に示すように、本実施形態に係る移動局ＵＥは、第１管理部１１Ａと、第２管理部１１Ｂと、受信部１２と、送信部１３とを具備している。
【００３１】
受信部１２は、無線基地局ｅＮＢから各種信号を受信するように構成されており、送信部１３は、無線基地局ｅＮＢに対して各種信号を送信するように構成されている。
【００３２】
第１管理部１１Ａは、Ｐｃｅｌｌを含むｐＴＡＧ、及び、Ｐｃｅｌｌを含まないｓＴＡＧを管理するように構成されている。
【００３３】
ここで、第１管理部１１Ａは、受信部１２によって受信された「ＲＲＣ  Ｃｏｎｎｅｃｔｉｏｎ  Ｒｅｃｏｎｆｉｇｕｒａｔｉｏｎ（ＴＡＧ  ｍｏｄｉｆｉｃａｔｉｏｎ）」等に基づいて、ｐＴＡＧ及びｓＴＡＧに属するＳｃｅｌｌを決定するように構成されている。
【００３４】
第２管理部１１Ｂは、受信部１２によって受信されたＳＩＢ２に基づいて、「ＵＬ  Ｃｅｌｌ」と下りリンク通信を行う「ＤＬ  Ｃｅｌｌ」とを関連付けて管理するように構成されている。
【００３５】
また、第１管理部１１Ａにおいて、ｐＴＡＧ内のＰｃｅｌｌに対する「ｔｉｍｉｎｇ  ｒｅｆｅｒｅｎｃｅ  ｃｅｌｌ」及び「Ｐａｔｈｌｏｓｓ  ｒｅｆｅｒｅｎｃｅ  ｃｅｌｌ」は、Ｐｃｅｌｌとして管理されるように構成されている。
【００３６】
また、第１管理部１１Ａにおいて、ｐＴＡＧ内のＳｃｅｌｌに対する「ｔｉｍｉｎｇ  ｒｅｆｅｒｅｎｃｅ  ｃｅｌｌ」は、Ｐｃｅｌｌとして管理されるように構成されている。
【００３７】
また、第１管理部１１Ａにおいて、ｐＴＡＧ内のＳｃｅｌｌに対する「Ｐａｔｈｌｏｓｓ  ｒｅｆｅｒｅｎｃｅ  ｃｅｌｌ」は、Ｐｃｅｌｌ、又は、かかるＳｃｅｌｌの「ＳＩＢ２  ｌｉｎｋｅｄ  ｃｅｌｌ」の中から、ネットワークによって指定されたセルとして管理されるように構成されている。
【００３８】
また、第１管理部１１Ａにおいて、ｓＴＡＧ内のＳｃｅｌｌにおける「ｔｉｍｉｎｇ  ｒｅｆｅｒｅｎｃｅ  ｃｅｌｌ」は、かかるｓＴＡＧ内のセルの中から移動局ＵＥによって選択されたセルとして管理されるように構成されている。
【００３９】
さらに、第１管理部１１Ａにおいて、ｓＴＡＧ内のＳｃｅｌｌにおける「Ｐａｔｈｌｏｓｓ  ｒｅｆｅｒｅｎｃｅ  ｃｅｌｌ」は、かかるＳｃｅｌｌの「ＳＩＢ２  ｌｉｎｋｅｄ  ｃｅｌｌ」の中から移動局ＵＥによって選択されたセルとして管理されるように構成されている。
【００４０】
すなわち、第１管理部１１Ａにおいて、ｓＴＡＧ内のＳｃｅｌｌに対する「ｔｉｍｉｎｇ  ｒｅｆｅｒｅｎｃｅ  ｃｅｌｌ」及び「Ｐａｔｈｌｏｓｓ  ｒｅｆｅｒｅｎｃｅ  ｃｅｌｌ」は、ネットワークによって指定することができないように構成されている。
【００４１】
ここで、第２管理部１１Ｂは、「ＤＬ  ｏｎｌｙ  Ｃｅｌｌ」に関連付けて管理する「ＵＬ  Ｃｅｌｌ」を、ｐＴＡＧ内のＰｃｅｌｌ又はＳｃｅｌｌとするように構成されている。
【００４２】
その結果、第２管理部１１Ｂにおいて、「ＤＬ  ｏｎｌｙ  Ｃｅｌｌ」は、ｓＴＡＧ内のＳｃｅｌｌの「ＳＩＢ２  ｌｉｎｋｅｄ  ｃｅｌｌ」にならない。
【００４３】
したがって、移動局ＵＥによって、ｓＴＡＧ内のＳｃｅｌｌに対する「ｔｉｍｉｎｇ  ｒｅｆｅｒｅｎｃｅ  ｃｅｌｌ」及び「Ｐａｔｈｌｏｓｓ  ｒｅｆｅｒｅｎｃｅ  ｃｅｌｌ」として、「ＤＬ  ｏｎｌｙ  Ｃｅｌｌ」が選択されてしまうという事態が発生し得なくなる。
【００４４】
なお、第２管理部１１Ｂは、ネットワークからの指示（例えば、ＳＩＢ２）に応じて、「ＤＬ  ｏｎｌｙ  Ｃｅｌｌ」と、ｐＴＡＧ内のＰｃｅｌｌ又はＳｃｅｌｌとを関連付けて管理するように構成されていてもよい。
【００４５】
或いは、第２管理部１１Ｂは、自律的に、「ＤＬ  ｏｎｌｙ  Ｃｅｌｌ」と、ｐＴＡＧ内のＰｃｅｌｌとを関連付けて管理するように構成されていてもよい。
【００４６】
また、第２管理部１１Ｂは、自律的に、「ＤＬ  ｏｎｌｙ  Ｃｅｌｌ」と、ｐＴＡＧ内のＳｃｅｌｌのうちの最も「Ｓｃｅｌｌ  Ｉｎｄｅｘ」が大きいものとを関連付けて管理するように構成されていてもよい。
【００４７】
或いは、第２管理部１１Ｂは、自律的に、「ＤＬ  ｏｎｌｙ  Ｃｅｌｌ」と、ｐＴＡＧ内のＳｃｅｌｌのうちの最も「Ｓｃｅｌｌ  Ｉｎｄｅｘ」が小さいものとを関連付けて管理するように構成されていてもよい。
【００４８】
以下、図３を参照して、本実施形態に係る移動局ＵＥの動作について説明する。
【００４９】
図３に示すように、移動局ＵＥは、ステップＳ１０１において、「ＤＬ  ｏｎｌｙ  Ｃｅｌｌ」を検出すると、ステップＳ１０２において、かかる「ＤＬ  ｏｎｌｙ  Ｃｅｌｌ」と、ｐＴＡＧ内のＰｃｅｌｌ又はＳｃｅｌｌと関連付けて管理する。
【００５０】
本実施形態に係る移動通信システムによれば、上述のように、移動局ＵＥが、ｓＴＡＧ内のＳｃｅｌｌに対する「ｔｉｍｉｎｇ  ｒｅｆｅｒｅｎｃｅ  ｃｅｌｌ」及び「Ｐａｔｈｌｏｓｓ  ｒｅｆｅｒｅｎｃｅ  ｃｅｌｌ」として「ＤＬ  ｏｎｌｙ  Ｃｅｌｌ」が選択してしまうという事態を回避することができ、ｓＴＡＧ内のＳｃｅｌｌに対する「ｔｉｍｉｎｇ  ｒｅｆｅｒｅｎｃｅ  ｃｅｌｌ」及び「Ｐａｔｈｌｏｓｓ  ｒｅｆｅｒｅｎｃｅ  ｃｅｌｌ」を適切に選択することができる。
【００５１】
以上に述べた本実施形態の特徴は、以下のように表現されていてもよい。
【００５２】
本実施形態の第１の特徴は、Ｐｃｅｌｌ（プライマリセル）及びＳｃｅｌｌ（セカンダリセル）を用いてＣＡ（キャリアアグリゲーション）を行うことができるように構成されている移動局ＵＥであって、Ｐｃｅｌｌを含むｐＴＡＧ（プライマリタイミング調整グループ）、及び、Ｐｃｅｌｌを含まないｓＴＡＧ（セカンダリタイミング調整グループ）を管理するように構成されている第１管理部１１Ａと、上りリンク通信を行う「ＵＬ  Ｃｅｌｌ（上りリンクセル）」と下りリンク通信を行う「ＤＬ  Ｃｅｌｌ（下りリンクセル）」とを関連付けて管理するように構成されている第２管理部１１Ｂとを具備しており、第１管理部１１Ａにおいて、ｐＴＡＧ内のＰｃｅｌｌ及びＳｃｅｌｌに対する「ｔｉｍｉｎｇ  ｒｅｆｅｒｅｎｃｅ  ｃｅｌｌ（タイミング参照セル）」及び「Ｐａｔｈｌｏｓｓ  ｒｅｆｅｒｅｎｃｅ  ｃｅｌｌ（パスロス参照セル）」は、Ｐｃｅｌｌ或いはネットワークによって指定されたセルとして管理されるように構成されており、第１管理部１１Ａにおいて、ｓＴＡＧ内のＳｃｅｌｌに対する「ｔｉｍｉｎｇ  ｒｅｆｅｒｅｎｃｅ  ｃｅｌｌ」及び「Ｐａｔｈｌｏｓｓ  ｒｅｆｅｒｅｎｃｅ  ｃｅｌｌ」は、ネットワークによって指定することができないように構成されており、第２管理部１１Ｂは、下りリンク通信のみが行われる「ＤＬ  ｏｎｌｙ  Ｃｅｌｌ（下りリンク専用セル）」に関連付けて管理する「ＵＬ  Ｃｅｌｌ」を、ｐＴＡＧ内のＰｃｅｌｌ又はＳｃｅｌｌとするように構成されていることを要旨とする。
【００５３】
本実施形態の第１の特徴において、第２管理部１１Ｂは、ネットワークからの指示に応じて、「ＤＬ  ｏｎｌｙ  Ｃｅｌｌ」と、ｐＴＡＧ内のＰｃｅｌｌ又はＳｃｅｌｌとを関連付けて管理するように構成されていてもよい。
【００５４】
かかる構成によれば、移動局ＵＥが、ｓＴＡＧ内のＳｃｅｌｌに対する「ｔｉｍｉｎｇ  ｒｅｆｅｒｅｎｃｅ  ｃｅｌｌ」及び「Ｐａｔｈｌｏｓｓ  ｒｅｆｅｒｅｎｃｅ  ｃｅｌｌ」として「ＤＬ  ｏｎｌｙ  Ｃｅｌｌ」が選択することで、「ＵＬ  Ｃｅｌｌ」と無線特性の全く異なる「ＤＬ  Ｃｅｌｌ」を参照して、上りリンクにおける送信タイミングを決定してしまったり、無線品質の異なる「ＤＬ  Ｃｅｌｌ」のパスロスを報告してしまったりするという事態を、ネットワーク側における既存の仕組み（ＳＩＢ２）を用いて、移動局ＵＥの実装を複雑にすることなく回避することができる。
【００５５】
本実施形態の第１の特徴において、第２管理部１１Ｂは、自律的に、「ＤＬ  ｏｎｌｙ  Ｃｅｌｌ」と、ｐＴＡＧ内のＰｃｅｌｌとを関連付けて管理するように構成されていてもよい。
【００５６】
かかる構成によれば、移動局ＵＥが、ｓＴＡＧ内のＳｃｅｌｌに対する「ｔｉｍｉｎｇ  ｒｅｆｅｒｅｎｃｅ  ｃｅｌｌ」及び「Ｐａｔｈｌｏｓｓ  ｒｅｆｅｒｅｎｃｅ  ｃｅｌｌ」として「ＤＬ  ｏｎｌｙ  Ｃｅｌｌ」が選択することで、「ＵＬ  Ｃｅｌｌ」と無線特性の全く異なる「ＤＬ  Ｃｅｌｌ」を参照して、上りリンクにおける送信タイミングを決定してしまったり、無線品質の異なる「ＤＬ  Ｃｅｌｌ」のパスロスを報告してしまったりするという事態を、無線基地局ｅＮＢにおける実装を複雑にすることなく且つシグナリングのオーバーヘッドを低減しながら回避することができる。
【００５７】
本実施形態の第１の特徴において、第２管理部１１Ｂは、自律的に、「ＤＬ  ｏｎｌｙ  Ｃｅｌｌ」と、ｐＴＡＧ内のＳｃｅｌｌのうちの最も「Ｓｃｅｌｌ  Ｉｎｄｅｘ（識別情報）」が大きいものとを関連付けて管理するように構成されていてもよい。
【００５８】
かかる構成によれば、移動局ＵＥが、ｓＴＡＧ内のＳｃｅｌｌに対する「ｔｉｍｉｎｇ  ｒｅｆｅｒｅｎｃｅ  ｃｅｌｌ」及び「Ｐａｔｈｌｏｓｓ  ｒｅｆｅｒｅｎｃｅ  ｃｅｌｌ」として「ＤＬ  ｏｎｌｙ  Ｃｅｌｌ」が選択することで、「ＵＬ  Ｃｅｌｌ」と無線特性の全く異なる「ＤＬ  Ｃｅｌｌ」を参照して、上りリンクにおける送信タイミングを決定してしまったり、無線品質の異なる「ＤＬ  Ｃｅｌｌ」のパスロスを報告してしまったりするという事態を、無線基地局ｅＮＢにおける実装を複雑にすることなく且つシグナリングのオーバーヘッドを低減しながら回避することができる。
【００５９】
本実施形態の第１の特徴において、第２管理部１１Ｂは、自律的に、「ＤＬ  ｏｎｌｙ  Ｃｅｌｌ」と、ｐＴＡＧ内のＳｃｅｌｌのうちの最も「Ｓｃｅｌｌ  Ｉｎｄｅｘ」が小さいものとを関連付けて管理するように構成されていてもよい。
【００６０】
かかる構成によれば、移動局ＵＥが、ｓＴＡＧ内のＳｃｅｌｌに対する「ｔｉｍｉｎｇ  ｒｅｆｅｒｅｎｃｅ  ｃｅｌｌ」及び「Ｐａｔｈｌｏｓｓ  ｒｅｆｅｒｅｎｃｅ  ｃｅｌｌ」として「ＤＬ  ｏｎｌｙ  Ｃｅｌｌ」が選択することで、「ＵＬ  Ｃｅｌｌ」と無線特性の全く異なる「ＤＬ  Ｃｅｌｌ」を参照して、上りリンクにおける送信タイミングを決定してしまったり、無線品質の異なる「ＤＬ  Ｃｅｌｌ」のパスロスを報告してしまったりするという事態を、無線基地局ｅＮＢにおける実装を複雑にすることなく且つシグナリングのオーバーヘッドを低減しながら回避することができる。
【００６１】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００６２】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６３】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００６４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６５】
ＵＥ…移動局
ｅＮＢ…無線基地局
１１Ａ…第１管理部
１１Ｂ…第２管理部
１２…受信部
１３…送信部
【要約】
【課題】ｓＴＡＧ内のＳｃｅｌｌに対する「ｔｉｍｉｎｇ  ｒｅｆｅｒｅｎｃｅ  ｃｅｌｌ」及び「Ｐａｔｈｌｏｓｓ  ｒｅｆｅｒｅｎｃｅ  ｃｅｌｌ」を適切に選択する。
【解決手段】本発明に係る移動局ＵＥでは、第２管理部１１Ｂは、下りリンク通信のみが行われる「ＤＬ  ｏｎｌｙ  Ｃｅｌｌ」に関連付けて管理する「ＵＬ  Ｃｅｌｌ」を、ｐＴＡＧ内のＰｃｅｌｌ又はＳｃｅｌｌとするように構成されている。
【選択図】図３【図１】
0005388244.tif 000002
【図２】
0005388244.tif 000003
【図３】
0005388244.tif 000004
【図４】
0005388244.tif 000005
【図５】
0005388244.tif 000006
【図６】
0005388244.tif 000007
【図７】
0005388244.tif 000008
【図８】
0005388244.tif 000009